(57)【要約】【課題】消費電力を低減し、ファンの騒音も低減したリムーバブルメディア録画機器を提供する。【解決手段】リムーバブルメディアを装着し、該リムーバブルメディアに情報を記録するリムーバブルメディアドライブ（３）と、前記リムーバブルメディアドライブにおける情報の記録を制御する録画用回路（２）と、前記リムーバブルメディアドライブ及び前記リムーバブルメディア制御部を冷却するファン（４）と、各部を制御する主制御部（１）とを備え、前記主制御部は、リムーバブルメディアへの情報の記録をすぐに開始できない条件を満たす場合、前記録画用回路及び前記ファンへの電力供給を停止する。【選択図】図１
2009289316.tif 000002
【特許請求の範囲】
【請求項１】
リムーバブルメディアを装着し、該リムーバブルメディアに情報を記録するリムーバブルメディアドライブと、
前記リムーバブルメディアドライブにおける情報の記録を制御する録画用回路と、
前記リムーバブルメディアドライブ及び前記リムーバブルメディア制御部を冷却するファンと、
上記各部を制御する制御部とを備え、
前記制御部は、前記リムーバブルメディアドライブにリムーバブルメディアが装着されているかどうかを判定し、装着されていない場合、前記録画用回路及び前記ファンへの電力供給を停止することを特徴とするリムーバブルメディア録画機器。
【請求項２】
リムーバブルメディアを装着し、該リムーバブルメディアに情報を記録するリムーバブルメディアドライブと、
前記リムーバブルメディアドライブにおける情報の記録を制御する録画用回路と、
前記リムーバブルメディアドライブ及び前記リムーバブルメディア制御部を冷却するファンと、
各部を制御する制御部とを備え、
前記制御部は、前記リムーバブルメディアドライブに装着されているリムーバブルメディアが情報の記録に対応しているかどうかを判定し、情報の記録に対応していない場合、前記録画用回路及び前記ファンへの電力供給を停止することを特徴とするリムーバブルメディア録画機器。
【請求項３】
リムーバブルメディアを装着し、該リムーバブルメディアに情報を記録するリムーバブルメディアドライブと、
前記リムーバブルメディアドライブにおける情報の記録を制御する録画用回路と、
前記リムーバブルメディアドライブ及び前記リムーバブルメディア制御部を冷却するファンと、
各部を制御する制御部とを備え、
前記制御部は、前記リムーバブルメディアドライブに装着されているリムーバブルメディアへの情報の記録が禁止されているかどうかを判定し、情報の記録が禁止されている場合、前記録画用回路及び前記ファンへの電力供給を停止することを特徴とするリムーバブルメディア録画機器。
【請求項４】
前記リムーバブルメディアドライブにリムーバブルメディアが装着されている場合、前記制御部は、前記リムーバブルメディアドライブに装着されているリムーバブルメディアが情報の記録に対応しているかどうかを判定し、情報の記録に対応していない場合、前記録画用回路及び前記ファンへの電力供給を停止することを特徴とする請求項１記載のリムーバブルメディア録画機器。
【請求項５】
前記リムーバブルメディアドライブにリムーバブルメディアが装着されている場合、前記制御部は、前記リムーバブルメディアドライブに装着されているリムーバブルメディアへの情報の記録が禁止されているかどうかを判定し、情報の記録が禁止されている場合、前記録画用回路及び前記ファンへの電力供給を停止することを特徴とする請求項１又は２記載のリムーバブルメディア録画機器。
【請求項６】
請求項１乃至５のいずれか１項に記載のリムーバブルメディア録画機器を内蔵したリムーバブルメディア録画機器内蔵テレビ放送受信装置。
【発明の詳細な説明】
【技術分野】
【０００１】
本発明は、ブルーレイディスク等のリムーバブルメディアにテレビ放送などを録画することができる、リムーバブルメディア録画機器や、このようなリムーバブルメディア録画機器を内蔵したテレビ放送受信装置に関する。
【背景技術】
【０００２】
近年、ブルーレイディスク（以下、ＢＤ）等のリムーバブルメディアにテレビ放送などを録画するリムーバブルメディア録画機器や、このようなリムーバブルメディア録画機器を液晶テレビ等に内蔵したテレビ放送受信装置が普及してきている。さらにハードディスクも搭載し、リムーバブルメディアとハードディスクとの間で録画された番組を移動できるようにしたものもある。
【０００３】
リムーバブルメディア録画機器は、録画用回路の消費電力が大きい。さらに、発熱量が多いため、動作中は冷却ファン等の冷却機能を必要とする。したがって、さらに消費電力が増大するという問題があった。さらに、冷却ファンの騒音の問題もあった。このような問題は、リムーバブルメディア録画機器を内蔵したテレビ放送受信装置においては特に顕著である。
【０００４】
引用文献１には、一定期間以上操作がなされない場合、省電力のスリープ状態に入り、スリープ状態のときにディスクの挿入またはリモコンによる操作に応じてノーマル状態に自動復帰するＤＶＤレコーダシステムが開示されている。
【０００５】
【特許文献１】特開２００６−９２６２７号公報
【発明の開示】
【発明が解決しようとする課題】
【０００６】
ＢＤ等のリムーバブルメディアに録画する録画機器は、起動時にディスクをマウントするのに時間を要するため、起動時間が長いという問題がある。同様に、ディスクをマウントするのに時間を要するという理由のため、消費電力を低減させるために非録画時に安易に録画用回路を停止させると、希望するタイミングで録画を開始させることができないという問題があった。
【０００７】
本発明はこのような実情を鑑みてなされたものであり、消費電力を低減し、ファンの騒音も低減したリムーバブルメディア録画機器及びリムーバブルメディア録画機器内蔵テレビ放送受信装置を提供する。
【課題を解決するための手段】
【０００８】
本発明のリムーバブルメディア録画機器は、リムーバブルメディアを装着し、該リムーバブルメディアに情報を記録するリムーバブルメディアドライブと、前記リムーバブルメディアドライブにおける情報の記録を制御するリムーバブルメディア制御部と、前記リムーバブルメディアドライブ及び前記リムーバブルメディア制御部を冷却するファンと、各部を制御する制御部とを備え、前記制御部は、前記リムーバブルメディアドライブにリムーバブルメディアが装着されていない場合、前記リムーバブルメディアドライブに装着されているリムーバブルメディアが再生専用リムーバブルメディアなどで情報の記録に対応していない場合、前記リムーバブルメディアドライブに装着されているリムーバブルメディアがライトプロテクトされており、情報の記録が禁止されている場合等、リムーバブルメディアへの情報の記録をすぐに開始できない条件を満たす場合、前記リムーバブルメディア制御部及び前記ファンへの電力供給を停止することを特徴とする。
【発明の効果】
【０００９】
本発明のリムーバブルメディア録画機器内蔵テレビ放送受信装置は、消費電力を低減し、ファンの騒音も低減することができる。
【発明を実施するための最良の形態】
【００１０】
以下、図面を参照して本発明のリムーバブルメディア録画機器の実施の形態を説明する。
【００１１】
本発明のリムーバブルメディア録画機器は、テレビ放送を受信し、テレビ放送信号や外部から入力された他の映像信号、音声信号を、ＢＤ等のリムーバブルメディアに録画することができる。ＢＤに加え、又は、ＢＤの代わりに、ＤＶＤ−Ｒ、ＤＶＤ−ＲＷ、ＤＶＤ−ＲＡＭ等の他のリムーバブルメディアに録画できるようにしてもよい。
【００１２】
本発明のリムーバブルメディア録画機器は、さらに、ハードディスクドライブを内蔵し、テレビ放送信号や外部から入力された他の映像信号、音声信号をハードディスクドライブに録画したり、ハードディスクとリムーバブルメディアとの間で録画した番組を移動できるようにしてもよい。
【００１３】
図１は、本発明のリムーバブルメディア録画機器の構成の一例を示すブロック図である。本図においては、本発明の特徴である機能に関する部分のみを示すが、リムーバブルメディア録画機器が通常備える部分、例えば、テレビ放送受信チューナ等も備えることは当然である。
【００１４】
図１において、リムーバブルメディア録画機器は、主制御部１と、リムーバブルメディア制御部２と、リムーバブルメディアドライブ３と、ファン４とを備える。
【００１５】
主制御部１は、本リムーバブルメディア録画機器の各部を制御し、これら各部への電力供給を行う。リムーバブルメディア録画機器の電源オンに応じて、主制御部１は、制御信号ＰＳ＿ＯＮによってリムーバブルメディア録画機器の各部へ電力を供給する。主制御部１は、制御信号ＢＤ＿Ｐ−ＣＯＮによってリムーバブルメディア制御部２への電力供給を制御し、制御信号ＦＡＮ＿ＣＮＴによってリムーバブルメディア制御部２を介してファン４への電力供給を制御し、制御信号ＤＲＩＶＥ＿Ｐ−ＣＯＮによってリムーバブルメディア制御部２を介してリムーバブルメディアドライブ３への電力供給を制御する。主制御部１は、制御信号ＣＯＬＤ＿ＲＳＴ＃によって、起動時にリムーバブルメディア制御部２をリセットする。
【００１６】
リムーバブルメディア制御部２は、主制御部１からの指示に応じてリムーバブルメディアドライブ３を制御し、リムーバブルメディアドライブ３やファン４への電力供給を行う。また、リムーバブルメディア制御部２は、リムーバブルメディアドライブ３に装着されたＢＤ等の書き込み可能メディアへの情報の書き込みを行う録画用の回路を含む。
【００１７】
リムーバブルメディアドライブ３は、ＢＤ、ＤＶＤ等のリムーバブルメディアが装着され、リムーバブルメディアの回転、リムーバブルメディアへの情報の書き込み、リムーバブルメディアからの情報の読み出し等を行う。リムーバブルメディアドライブ３にリムーバブルメディアが装着されている場合、リムーバブルメディアドライブ３に備わる物理スイッチがオンになり、メディア検出信号が主制御部１に送信される。
【００１８】
本発明のリムーバブルメディア録画機器においては、リムーバブルメディアへの録画をすぐに開始できない条件を満たす場合、リムーバブルメディア制御部２における録画用の回路と、ファン４への電力供給を停止し、スリープ状態にする。上記条件は、例えば、リムーバブルメディアが装着されていない、再生専用のリムーバブルメディアが装着されている。書込み禁止にした録画用リムーバブルメディアが装着されている、等である。
【００１９】
上記のような、リムーバブルメディアへの録画をすぐに開始できない条件を満たす場合、録画可能にするためには、必然的に、録画可能なリムーバブルメディアを装着して、当該リムーバブルメディアをマウントする動作が必要となる。このマウントにかかる時間と比較すると、スリープ状態からの復帰にかかる時間は短く、相対的に無視できるため、録画用の回路と、ファン４への電力供給を停止し、スリープ状態に移行させ、消費電力の低減と、騒音の低減とを実現する。
【００２０】
録画用のリムーバブルメディアが挿入されていて、空き容量があり、録画可能な状態にある場合、スリープ状態にすると復帰時にリムーバブルメディアのマウント処理が必要なため、スリープ状態からの復帰に時間がかかってしまう。したがって、このような状態にある場合には、録画用の回路と、ファン４への電力供給を停止せず、スリープ状態にならないようにし、いつでも録画できるよう状態を維持する。
【００２１】
図２は、本発明のリムーバブルメディア録画機器の起動時の動作を説明するフローチャートである。
【００２２】
ステップＳ１０１において、リムーバブルメディアドライブ３にリムーバブルメディアが装着されているかどうかを判定する。リムーバブルメディアドライブ３にリムーバブルメディアが装着されている場合、リムーバブルメディアドライブ３の物理スイッチがオンになり、メディア検出信号が主制御部１に送信される。
【００２３】
リムーバブルメディアドライブ３にリムーバブルメディアが装着されていない場合、リムーバブルメディアへの録画をすぐに開始できない条件を満たしているので、ステップＳ１０４において、主制御部１は、リムーバブルメディア制御部２における録画用の回路と、ファン４への電力供給を停止し、スリープ状態に遷移し、動作を終了する。
【００２４】
ステップＳ１０１でリムーバブルメディアドライブ３にリムーバブルメディアが装着されていると判定された場合、ステップＳ１０２において、リムーバブルメディアドライブ３に装着されているリムーバブルメディアが録画可能なものであるかどうかを判定する。例えば、リムーバブルメディアがリムーバブルメディアドライブ３に対応するものであり、且つ、ＢＤ−Ｒ、ＢＤ−ＲＥ、ＤＶＤ−Ｒ、ＤＶＤ−ＲＷなどの録画可能なリムーバブルメディアであり、且つ、ライトプロテクトされておらず、且つ、録画するための空き容量がある場合、録画可能であると判定する。リムーバブルメディアがリムーバブルメディアドライブ３に対応していないものであったり、ＢＤ−ＲＯＭ、ＤＶＤ−ＲＯＭ、ＣＤなどの再生専用のリムーバブルメディアであったり、録画可能なリムーバブルメディアであってもライトプロテクトされていたり、録画するための空き容量がない場合、録画可能なものではないと判定する。
【００２５】
リムーバブルメディアドライブ３に装着されているリムーバブルメディアが録画可能なものである場合、ステップＳ１０３において、主制御部１は、リムーバブルメディア制御部２における録画用の回路と、ファン４への電力供給を維持し、いつでも録画できる状態を維持する。
【００２６】
リムーバブルメディアドライブ３に装着されているリムーバブルメディアが録画可能なものではない場合、リムーバブルメディアへの録画をすぐに開始できない条件を満たしているので、ステップＳ１０４において、主制御部１は、リムーバブルメディア制御部２における録画用の回路と、ファン４への電力供給を停止し、スリープ状態に遷移し、動作を終了する。
【００２７】
次に、リムーバブルメディアの交換時、スリープ状態におけるリムーバブルメディアの装着時における動作について説明する。図３は、本発明のリムーバブルメディア録画機器のリムーバブルメディア装着時の動作を説明するフローチャートである。
【００２８】
ステップＳ２０１において、リムーバブルメディアドライブ３にリムーバブルメディアが装着され、リムーバブルメディアドライブ３の物理スイッチがオンになり、メディア検出信号が主制御部１に送信される。
【００２９】
ステップＳ２０２において、主制御部１は、リムーバブルメディア制御部回路２における録画用の回路と、ファン４への電力供給を開始する。
【００３０】
ステップＳ２０３において、リムーバブルメディアドライブ３に装着されているリムーバブルメディアが録画可能なものであるかどうかを判定する。例えば、リムーバブルメディアがリムーバブルメディアドライブ３に対応するものであり、且つ、ＢＤ−Ｒ、ＢＤ−ＲＥ、ＤＶＤ−Ｒ、ＤＶＤ−ＲＷなどの録画可能なリムーバブルメディアであり、且つ、ライトプロテクトされておらず、且つ、録画するための空き容量がある場合、録画可能であると判定する。リムーバブルメディアがリムーバブルメディアドライブ３に対応していないものであったり、ＢＤ−ＲＯＭ、ＤＶＤ−ＲＯＭ、ＣＤなどの再生専用のリムーバブルメディアであったり、録画可能なリムーバブルメディアであってもライトプロテクトされていたり、録画するための空き容量がない場合、録画可能なものではないと判定する。
【００３１】
リムーバブルメディアドライブ３に装着されているリムーバブルメディアが録画可能なものである場合、ステップＳ２０４において、主制御部１は、リムーバブルメディア制御部回路２における録画用の回路と、ファン４への電力供給を維持し、いつでも録画できる状態を維持する。
【００３２】
リムーバブルメディアドライブ３に装着されているリムーバブルメディアが録画可能なものではない場合、リムーバブルメディアへの録画をすぐに開始できない条件を満たしているので、ステップＳ２０５において、主制御部１は、リムーバブルメディア制御部２における録画用の回路と、ファン４への電力供給を停止し、スリープ状態に遷移し、動作を終了する。
【００３３】
以上、説明したように、本発明のリムーバブルメディア録画機器においては、リムーバブルメディアへの情報の記録をすぐに開始できない条件を満たす場合、前記録画用回路及び前記ファンへの電力供給を停止することにより、消費電力を低減し、ファンの騒音も低減することができる。
【００３４】
本発明のリムーバブルメディア録画機器は、特に、リムーバブルメディアとしてＢＤを用いる場合に好適である。ＢＤ用のリムーバブルメディア制御部のＢＤ用録画回路は消費電力が大きく、スリープからの起動に時間がかかり、ＢＤドライブの消費電力も大きく、ＢＤはマウント時間も長い。ＢＤ用録画回路の最大負荷は、例えば１．８４Ａ／２７．９０Ｗ（１５Ｖ入力時）であり、ＢＤドライブの最大負荷は２．４９Ａ／３７．３３Ｗであり、合計の最大電力は４．３５Ａ／６５．２３Ｗ（１５Ｖ入力時）である。また、ＢＤ用録画回路の起動時間は約１０秒であり、ＢＤマウント時間は、最長３分３０秒（２層、２００タイトル録画時）、最短５０秒であり、合計、最長約３分４０秒、最短約１分である。
【００３５】
本発明は、上述したようなリムーバブルメディア録画機器を液晶テレビ等に内蔵したリムーバブルメディア録画機器内蔵テレビ放送受信装置としても実施可能である。リムーバブルメディア録画機器内蔵テレビ放送受信装置では、リムーバブルメディア録画機器を内蔵しないテレビ放送受信装置に比べて、消費電力、発熱量が極端に増大するため、より大きい効果が得られる。
【００３６】
例えば、５２型の液晶テレビにＢＤ録画機器を内蔵した場合、ＢＤドライブ及びＢＤ用録画回路の電源をオンにした場合の消費電力は約３６０Ｗであるが、ＢＤドライブ及びＢＤ用録画回路の電源をオフにした場合の消費電力は約３００Ｗにまで低減することができる。
【産業上の利用可能性】
【００３７】
本発明は、リムーバブルメディア録画機器及びリムーバブルメディア録画機器内蔵テレビ放送受信装置に利用可能である。
【図面の簡単な説明】
【００３８】
【図１】本発明のリムーバブルメディア録画機器の構成の一例を示すブロック図である。
【図２】本発明のリムーバブルメディア録画機器の起動時の動作を説明するフローチャートである。
【図３】本発明のリムーバブルメディア録画機器のリムーバブルメディア装着時の動作を説明するフローチャートである。
【符号の説明】
【００３９】
１  主制御部
２  リムーバブルメディア制御部
３  リムーバブルメディアドライブ
４  ファン
【図１】
2009289316.tif 000003
【図２】
2009289316.tif 000004
【図３】
2009289316.tif 000005